(57)【特許請求の範囲】
【請求項１】
主舞台に昇降可能に設けられた迫り台と、前記主舞台に前記迫り台を挟んで舞台上手下手方向両側に設けられた２個の側方舞台と、これら各側方舞台上に夫々舞台上手下手方向に沿って移動可能に夫々設けられた２個の側部移動台と、前記各側方舞台に設けられ係合部材を備えてこの係合部材を移動させて前記側部移動台を前記側方舞台と前記迫り台とにわたって舞台上手下手方向に沿って移動させる移動機構と、前記側部移動台の舞台上手下手方向両側部に設けられて前記移動機構に設けられた前記係合部材に対して係合する係合位置と係合を解除する解除位置とにわたって変位する変位部材を備えた係合機構と、前記迫り台の舞台上手下手方向両側部に設けられ前記迫り台上に移動してきた前記側部移動台に設けられた前記係合機構の変位部材を解除位置へ変位させる係合解除機構とを具備して、前記側部移動台を、前記迫り台を乗り越えて主舞台上手側および下手側の前記側方舞台のいずれにも移動させることができる舞台設備装置にあって、前記係合機構は、前記変位部材と、この変位部材を係合位置に向けて変位させる力を加える弾性部材と、前記変位部材に設けられ前記係合解除機構により動作されて前記変位部材を解除位置へ変位させるとともに前記係合解除機構の動作により一方の前記側部移動台の上側に乗っている他の前記側部移動台に設けられる前記変位部材を押して解除位置へ変位させる突起を備えた受け体とを具備することを特徴とする舞台設備装置。
【請求項２】
前記移動機構は、前記側部移動台の移動経路に沿って設けられたチェーンと、このチェーンを支持するスプロケットホイールと、このスプロケットホイールを回転駆動する可逆転モータと、前記チェーンに取付けられて移動され前記係合機構に設けられた前記変位部材が係合およびこの係合を解除する前記係合部材とを具備することを特徴とする請求項１に記載の舞台設備装置。  
【請求項３】
前記係合解除機構は、前記係合機構の前記変位部材を押して解除位置に向けて変位させる向きとこれとは反対向きとに往復移動する動作体と、この動作体を駆動するリニア電気シリンダーとを具備することを特徴とする請求項１または２に記載の舞台設備装置。
【発明の詳細な説明】
【０００１】
【発明の属する技術分野】
この発明は、主舞台に組込まれた迫り台および側部移動台を備えた舞台設備装置に関する。
【０００２】
【従来の技術】
従来、演劇や歌舞伎等を上演する舞台に装備される設備として、主舞台に昇降可能に設けられた迫り台と、前記主舞台に前記迫り台を挟んで舞台上手下手方向両側に夫々設けられた２個の側方舞台とを備え、さらに迫り台上と舞台上手側または下手側何れか一方の側方舞台上とにわたって舞台上手下手方向に沿って移動可能な１個の側部移動台を備えた舞台設備装置がある。
【０００３】
すなわち、この舞台設備装置における１個の側部移動台は、背景幕や大道具、小道具等の舞台具を乗せて、迫り台上と主舞台上手側または下手側何れか一方の側方舞台上とにわたって舞台上手下手方向に沿って移動することにより舞台上手下手方向に情景転換を行い、あるいは舞台具の一時収納を行っている。
【０００４】
【発明が解決しようとする課題】
しかし、この従来の舞台設備装置では、側部移動台を迫り台と舞台上手側、または下手側のいずれか一方にある側方舞台との間を移動させることしかできないために、側部移動台の移動範囲が制限されて情景転換や舞台具の一時収納が限定的であり、使い勝手が充分に良いとはいえなかった。
【０００５】
本発明は、側部移動台を迫り台を乗り越えて主舞台上手側および下手側の側方舞台のいずれにも移動させることができて、情景転換性能や舞台具の収納能力を大幅に高めた舞台設備装置を提供することを目的とする。
【０００６】
【課題を解決するための手段】
請求項１の発明の舞台設備装置は、主舞台に昇降可能に設けられた迫り台と、前記主舞台に前記迫り台を挟んで舞台上手下手方向両側に設けられた２個の側方舞台と、これら各側方舞台上に夫々舞台上手下手方向に沿って移動可能に夫々設けられた２個の側部移動台と、前記各側方舞台に設けられ係合部材を備えてこの係合部材を移動させて前記側部移動台を前記側方舞台と前記迫り台とにわたって舞台上手下手方向に沿って移動させる移動機構と、前記側部移動台の舞台上手下手方向両側部に設けられて前記移動機構に設けられた前記係合部材に対して係合する係合位置と係合を解除する解除位置とにわたって変位する変位部材を備えた係合機構と、前記迫り台の舞台上手下手方向両側部に設けられ前記迫り台上に移動してきた前記側部移動台に設けられた前記係合機構の変位部材を解除位置へ変位させる係合解除機構とを具備して、前記側部移動台を、前記迫り台を乗り越えて主舞台上手側および下手側の前記側方舞台のいずれにも移動させることができる舞台設備装置にあって、前記係合機構は、前記変位部材と、この変位部材を係合位置に向けて変位させる力を加える弾性部材と、前記変位部材に設けられ前記係合解除機構により動作されて前記変位部材を解除位置へ変位させるとともに前記係合解除機構の動作により一方の前記側部移動台の上側に乗っている他の前記側部移動台に設けられる前記変位部材を押して解除位置へ変位させる突起を備えた受け体とを具備することを特徴とする。
【０００７】
請求項２の発明は、請求項１に記載の舞台設備装置において、前記移動機構は、前記側部移動台の移動経路に沿って設けられたチェーンと、このチェーンを支持するスプロケットホイールと、このスプロケットホイールを回転駆動する可逆転モータと、前記チェーンに取付けられて移動され前記係合機構に設けられた前記変位部材が係合およびこの係合を解除する係合部材とを具備することを特徴とする。
【０００９】
請求項３の発明は、請求項１または２に記載の舞台設備装置において、前記係合解除機構は、前記係合機構の前記変位部材を押して解除位置に向けて変位させる向きとこれとは反対向きとに往復移動する動作体と、この動作体を駆動するリニア電気シリンダーとを具備することを特徴とする。
【００１０】
【発明の実施の形態】
本発明の一実施の形態について図１ないし図５を参照して説明する。
【００１１】
図１ないし図５は本発明に係る一実施の形態を示し、図１は一方の側部移動台が迫り台上に移動した状態における概略的構成を示す斜視図、図２は同舞台設備装置において移動機構の係合部材と係合機構を拡大して示す斜視図、図３は同舞台設備装置において迫り台上で側部移動台同士が重なった状態における係合機構および各係合解除機構を示す正面図、図４（ａ）ないし（ｄ）、および図５（ａ）ないし（ｄ）は同舞台設備装置における各側部移動台を移動する形態を示す説明図である。なお、図２，３は夫々各機構における主舞台下手側の部分を示している。
【００１２】
図１において１は開口部２を有する主舞台であり、この主舞台１の開口部２の中央部には迫り台１１が設けられ、この迫り台１１を挟んで舞台上手下手方向両側には２個の側部移動台１０Ａ、１０Ｂが配置されている。迫り台１１は図示しない昇降駆動機構に昇降されて舞台下の舞台具格納室から舞台具を側部移動台２０Ａ、２０Ｂなどに乗せて出し入れしたり、上演者を出し入れする。側方舞台１０Ａ、１０Ｂは主舞台１より側部移動台２０Ａ、２０Ｂの厚さ分より低くなっている。２個の側方舞台１０Ａ、１０Ｂの上側には、側方舞台１０Ａ、１０Ｂの長さ（舞台上手下手方向長さ）より短い長さを有する平板状の側部移動台２０Ａ、２０Ｂが配置され、この側部移動台２０Ａ、２０Ｂは車輪２１を備えて一方の側部移動台２０Ａ、２０Ｂから迫り台１１を乗り越えて他方の側部移動台２０Ｂ、２０Ａまでに移動することが可能になっている。
【００１３】
各側方舞台１０Ａ、１０Ｂには移動機構３０Ａ、３０Ｂが設けられており、この移動機構３０Ａ、３０Ｂは係合部材型をなす係合部材３５を移動させて側部移動台２０Ａ、２０Ｂを側方舞台１０Ａ、１０Ｂと迫り台１１とにわたって舞台上手下手方向に沿って移動させるものである。
【００１４】
各側部移動台２０Ａ、２０Ｂの舞台上手下手方向両側部には２個の係合機構４０Ａ、４０Ｂが設けられており、これらの係合機構４０Ａ、４０Ｂは移動機構３０Ａ、３０Ｂに設けられた係合部材３５に対して係合する係合位置と係合を解除する解除位置とにわたって変位するレバー型の変位部材４１を備えている。迫り台１１における舞台上手下手方向両側部には２個の係合解除機構５０Ａ、５０Ｂが設けられており、これらの係合解除機構５０Ａ、５０Ｂは迫り台１１上に移動してきた側部移動台２０Ａ、２０Ｂに設けられた係合機構４０Ａ、４０Ｂの変位部材４１を解除位置へ変位させるものである。
【００１５】
なお、図示しないが側部移動台２０Ａ、２０Ｂの迫り台１１上への到達や各側方舞台１０Ａ、１０Ｂへの到達を確認するリミットスイッチなどの検出手段と、側部移動台２０Ａ、２０Ｂの移動形態を指令する制御機構が設けられている。
【００１６】
さらに説明を加える。
【００１７】
移動機構３０Ａ、３０Ｂは各側方舞台１０Ａ、１０Ｂの側部に設けられている。そして、舞台上手下手方向に沿って設けられたループ状チェーン３１と、このチェーン３１を支持する一対のスプロケットホイール３２、３３と、一方のスプロケットホイール３２を回転駆動する可逆転モータ３４と、係合機構４０Ａ、４０Ｂに設けた変位部材４１が係合および解除できるようにチェーン３１に取付けられたフック形の係合部材３５とから構成されている。係合部材３５が、各側方舞台１０Ａ、１０Ｂから側部移動台２０Ｂの上側に突出することなく側方舞台１０Ａ、１０Ｂに設けた溝Ｇ内で側方舞台奥と迫り台端部との間において往復移動できるようになっている。
【００１８】
係合機構４０Ａ、４０Ｂは、各側部移動台２０Ａ、２０Ｂの舞台上手下手方向両側部に設けられている。そして、支持ピン４２に支持されて移動機構３０Ａ、３０Ｂの係合部材３５に対する係合位置と係合解除位置との間で上下方向方向に揺動するとともに一端部に係合ピン４３を保持した変位部材４１と、側部移動台２０Ａ、２０Ｂと変位部材４１の他端部との間に設けられ係合ピン４３を係合位置に弾性保持するように変位部材４１を押圧する弾性部材の一例である圧縮コイルばね４５とを備えている。係合機構４０Ａ、４０Ｂは、係合解除機構５０によって突き上げられて係合ピン４３を係合解除位置に移動させるように変位部材４５の係合ピン４３とは反対位置に設けられ受け体４６を有しており、この受け体４６は係合解除機構５０による突き上げによってさらに上向きに突き上げる突起４７を備えている。なお、変位部材４１は揺動に限定されず、他の変位動作でも良い。
【００１９】
係合機構４０Ａ、４０Ｂでは、移動機構３０Ａ、３０Ｂの係合部材３５が一定姿勢であっても、迫り台１１に設けられた係合解除機構５０Ａ、５０Ｂの突き上げ作動を受け体４６が受けると、水平状態の変位部材４１が上下方向に揺動されて係合ピン４３を水平な係合位置から一旦係合解除位置に下げてから再び係合部材３５に係合させることができ、また単に移動機構３０Ａ、３０Ｂの係合部材３５から係合ピン４３を係合解除させることができる。
【００２０】
さらに、係合機構４０Ａ、４０Ｂでは、係合作動させる時にのみ係合解除機構５０Ａ、５０Ｂの突き上げ作動を受けずに係合部材３５が自動的に係合ピン４３に係合することができる。すなわち、変位部材４１は圧縮コイルばね４５によって常時係合ピン４３が係合位置になるように維持されている。このため、図２に示すように係合部材３５の先端部に傾斜面３５ａを設け、この傾斜面３５ａで係合部材３５が係合ピン４３を押し下げていって変位部材４１が揺動して自動的に係合できる構成が採用されている。
【００２１】
そして、係合機構４０Ａ、４０Ｂの受け体４６の突起４７は、例えば図３に示すように若干下がった迫り台１１上に側部移動台２０Ａが乗っており、側部移動台２０Ｂが側方舞台１０Ｂから側部移動台２０Ａを乗り越えて側方舞台１０Ａへ移動される場合に作用するものである。すなわち、下側になっている側部移動台２０Ａ上に到達した側部移動台２０Ｂが、これまでの側方舞台１０Ｂでの移動機構３０Ｂから次の側方舞台１０Ａでの移動機構３０Ａに切り替えるために、上側になっている側部移動台２０Ｂの係合機構４０Ｂの受け体４６は、下側の側部移動台２０Ａの受け体４６の突起４７を介して係合解除機構５０Ｂの突き上げ作動を受けるようにしている。
【００２２】
係合解除機構５０Ａ、５０Ｂには、上下方向に沿って往復移動する動作体の一例である突き上げ体５２をシリンダーロッド５１の先端に備えたリニア電気シリンダーから構成されている。代わりに、ロータリシリンダーを各係合機構に付設することもできるが、迫り台１１にリニア電気シリンダーを組み込んで共用するこの構成で、設置台数を少なくできる。
【００２３】
制御機構は、前述した迫り台１１や側部移動台２０Ａ、２０Ｂ、移動機構３０Ａ、３０Ｂ、係合機構４０Ａ、４０Ｂの作動位置を確認して連動作動させるとともに、前述した迫り台１１や側部移動台２０Ａ、２０Ｂの移動形態を遠隔操作するために使用される。
【００２４】
このように構成された舞台設備装置の作動について説明する。
【００２５】
側部移動台２０Ａ、２０Ｂの移動形態としては、図１に示すように主舞台１の下側に設けられた舞台具格納室から舞台具を出したり、舞台具を仕舞うために側部移動台２０Ａ、２０Ｂの一方が迫り台１１上に移動する舞台具出し入れ形態と、図４に示すように情景転換等のために上手側と下手側の側部移動台２０Ａ、２０Ｂを移動させて入れ替える形態とがある。
【００２６】
側部移動台２０Ａ、２０Ｂを入れ替え形態について説明する。図４（ａ）は入れ替え開始前の状態を示しており、各側部移動台２０Ａ、２０Ｂが側方舞台１０Ａ、１０Ｂの上側に位置し、迫り台１１が側方舞台１０Ａ、１０Ｂと同一レベルになっている。図４（ｂ）は上手側の側方舞台１０Ａ上にある側部移動台２０Ａを下手側へ向けて移動させて迫り台１１上に乗せ、さらに迫り台１１が側部移動台２０Ａの厚さ分だけ下降した状態を示している。図４（ｃ）は下手側の側方舞台１０Ｂ上にある側部移動台２０Ｂを上手側へ向けて移動して迫り台１１に乗った上手側の側部移動台２０Ａの上側に乗せた状態を示している。図４（ｄ）は下手側の側部移動台２０Ｂを上手側の側方舞台１０Ａへ移動させ、上手側の側部移動台２０Ａを下手側の側方舞台１０Ｂ上へ移動させ、迫り台１１が上がって復帰した状態を示している。
【００２７】
さらに、前記側部移動台２０Ａ、２０Ｂの移動について図５を参照して説明する。図５（ａ）ないし（ｄ）は図４（ａ）ないし図４（ｄ）に夫々対応しているものである。
【００２８】
図５（ａ）では、上手側の側部移動台１０Ａに位置する側部移動台２０Ａの上手側部に設けられた係合機構４０Ａの係合ピン４３が移動機構３０Ａに設けられる係合部材３５に係合している。下手側の側部移動台１０Ｂに位置する側部移動台２０Ｂの下手側部に設けられた係合機構４０Ｂの係合ピン４３が移動機構３０Ｂに設けられる係合部材３５に係合している。
【００２９】
図５（ｂ）では、移動機構３０Ａが駆動して係合部材３５が下手側へ向けて移動し、側部移動台２０Ａを下手側へ向けて移動させて迫り台１１上へ乗せる。降駆動機構により迫り台１１を例えば側部移動台２０Ａの厚さ分だけ下降させる。これにより迫り台１１上の側部移動台２０Ａが下降して側方舞台１０Ａ、１０Ｂと同じ高さ位置となる。また、迫り台１１の上手側部に設けた係合解除機構５０Ａを駆動して突き上げ体５２を上昇させ、下側の側部移動台２０Ａの上手側部に設けた係合機構４０Ａの受け体４６を突き上げて変位部材４１を揺動させ係合ピン４３を移動機構３０Ａの係合部材３５から外す。
【００３０】
図５（ｃ）では、移動機構３０Ｂが駆動して係合部材３５が上手側へ向けて移動し、側部移動台２０Ｂを上手側へ向けて移動させて迫り台１１上に乗せてある側部移動台２０Ａの上側に乗せる。そして、迫り台１１の下手側部に設けた係合解除機構５０Ｂを駆動して突き上げ体５２を上昇させ、下側の側部移動台２０Ａの下手側部に設けた係合機構４０Ｂの受け体４６を突き上げて変位部材４１を揺動させる。変位部材４１の揺動により受け体４６に設けられた突起４７が、上側の側部移動台２０Ｂの下手側部に設けた係合機構４０Ｂの受け体４６を突き上げて、変位部材４１を揺動させ係合ピン４３を移動機構３０Ｂの係合部材３５から外す。
【００３１】
図５（ｄ）では、上手側の移動機構３０Ａを駆動して係合部材３５を一旦上手側へ後退させた後に下手側へ移動させて、前述したように係合部材３５の先端部の傾斜面３５ａを、上側に重ねてある側部移動台２０Ｂの上手側の係合機構４０Ａの係合ピン４３に係合する。上手側の移動機構３０Ａを駆動して係合部材３５を上手側へ移動し、側部移動台２０Ｂを上手側へ向けて移動させて上手側の側方舞台１０Ａの上側へ位置させる。また、下手側の移動機構３０Ｂを駆動して係合部材３５を一旦下手側へ後退させた後に上手側へ移動させて、前述したように係合部材３５の先端部の傾斜面３５ａを、迫り台１１上の側部移動台２０Ａの下手側の係合機構４０Ｂの係合ピン４３に係合する。下手側の移動機構３０Ｂを駆動して係合部材３５を下手側へ移動し、側部移動台２０Ａを下手側へ向けて移動させて下手側の側方舞台１０Ｂの上側へ位置させる。
【００３２】
このようにして上手側にあった側部移動台２０Ａを迫り台１１を乗り越えて下手側へ移動させ、下手側にあった側部移動台２０Ｂを迫り台１１を乗り越えて上手側へ移動させる。
【００３３】
この実施の形態における舞台設備装置によれば、側部移動台２０Ａ、２０Ｂを迫り台１１を乗り越えて舞台上手側から下手側へ、あるいは下手側から上手側へ自由に移動させることができ、さらに迫り台１１を側部移動台２０Ａ、２０Ｂの高さ分だけ下降することにより側部移動台２０Ａ、２０Ｂの一方が迫り台１１上に乗っている他方の側部移動台も乗り越えて舞台上手下手方向に沿って移動できる。従って、舞台の上手や下手に背景幕や大道具、小道具等の舞台具を大きな範囲で移動できて情景転換性能を高め、また空いている上手又は下手の側方舞台１０Ａ、１０Ｂに舞台具を移動させ屡ことができるので舞台具の収納能力を大幅に高めることができる。
【００３４】
また、側部移動台２０Ａ、２０Ｂを移動させる移動機構３０Ａ、３０Ｂは、側方舞台１０Ａ、１０Ｂに設けたチェーン３１、スプロケットホィール３２、３３、モータ３４および係合部材３５を組み合せて構成している。従って、移動機構３０Ａ、３０Ｂを、各側方舞台１０Ａ、１０Ｂから側部移動台２０Ｂの上側に突出することなくコンパクトにまとめて側方舞台１０Ａ、１０Ｂに組み込むことができる。そして、側部移動台２０Ａ、２０Ｂに係合機構４０Ａ、４０Ｂを設けて、移動機構３０Ａ、３０Ｂの係合部材３５と係合させることにより、側部移動台２０Ａ、２０Ｂを側方舞台１０Ａ、１０Ｂと迫り台１１との間で舞台上手下手方向に沿って移動させることができるとともに、迫り台１１から上手側および下手側へ容易に受け渡しすることができる。
【００３５】
さらに、係合機構４０Ａ、４０Ｂは揺動可能な変位部材４１、係合ピン４３、弾性部材である圧縮コイルばね４５、受け体４６を組み合せて構成されている。従って、係合機構４０Ａ、４０Ｂは移動機構３０Ａ、３０Ｂの係合部材３５が一定姿勢であっても、迫り台１１に設けられた係合解除機構５０Ａ、５０Ｂの突き上げ作動を受ける受け体４６によって係合機構４０Ａ、４０Ｂの変位部材４１が上下方向に揺動されることで係合ピン４３を移動機構３０Ａ、３０Ｂの係合部材３５に係合させ、また係合を解除させることができる。また、係合機構４０Ａ、４０Ｂの係合ピン４３と移動機構３０Ａ、３０Ｂの係合部材３５との係合を、弾性部材である圧縮コイルばね４５が変位部材４１を押すことにより常時維持しているので、側部移動台２０Ａ、２０Ｂが移動機構３０Ａ、３０Ｂによって搬送されている間に係合解除機構５０Ａ，５０Ｂが故障などを起こしても外れて置き去りにされることはない。
【００３６】
さらに、一方の側部移動台２０Ａ、２０Ｂが迫り台１１上に乗っている他方の側部移動台２０Ｂ、２０Ａを乗り越える場合、この他方の側部移動台２０Ｂ、２０Ａ上に到達した一方の側部移動台２０Ａ、２０Ｂを一方の移動機構３０Ａ、３０Ｂから他方の移動機構３０Ｂ、３０Ｂに切り替えるために、係合解除機構５０Ａ，５０Ｂの突き上げ作動を，迫り台１１上に乗っている側部移動台２０Ａ、２０Ｂに設けた係合機構４０Ａ、４０Ｂの受け体４６の突起４７を介して上側の側部移動台２０Ａ、２０Ｂに設けた係合機構４０Ａ、４０Ｂの受け体４６に伝えて動作させることができる。
【００３７】
さらに、係合解除機構５０Ａ，５０Ｂは、上下に往復移動する突き上げ体５２を備えたリニア電気シリンダーから構成されるために、上下往復移動の単純作動もなるとともに遠隔操作が容易になり、且つ構成を構成をコンパクトにまとめることができる。
【００３８】
なお、本発明は前述した実施の形態に限定されず、種々変形して実施することができる。
【００３９】
【発明の効果】
本発明の舞台設備装置によれば、側部移動台を迫り台を乗り越えて舞台上手側から下手側へ、あるいは下手側から上手側へ自由に移動させることができ、さらに迫り台を側部移動台の高さ分だけ下降することにより側部移動台の一方が迫り台上に乗っている他方の側部移動台も乗り越えて舞台上手下手方向に沿って移動できる。従って、舞台の上手や下手に背景幕や大道具、小道具等の舞台具を大きな範囲で移動できて情景転換性能を高め、また空いている上手又は下手の側方舞台に舞台具を移動させることができるので舞台具の収納能力を大幅に高めることができる。
【００４０】
また、本発明によれば、側部移動台を移動させる移動機構は、各側方舞台から側部移動台の上に突出することなくコンパクトにまとめて側方舞台に組み込むことができる。そして、側部移動台に係合機構を設けて、移動機構の係合部材と係合させることにより、側部移動台を側方舞台と迫り台の間で舞台上手下手方向に沿って移動させることができるとともに、迫り台から上手側および下手側へ容易に受け渡しすることができる。
【００４１】
さらに、本発明によれば、係合機構は移動機構の係合部材が一定姿勢であっても、迫り台に設けられた係合解除機構の作動を受ける受け体によって係合機構の変位部材が変位されることで係合ピンを係合部材に係合させ、また係合を解除させることができる。また、係合機構の係合ピンと移動機構の係合部材との係合を、弾性部材が変位部材を押すことにより常時維持しているので、側部移動台が移動機構によって搬送されている間に係合解除機構が故障などを起こしても外れて置き去りにされることはない。
【００４２】
さらに、本発明によれば、一方の側部移動台が迫り台上に乗っている他方の側部移動台を乗り越える場合、この他方の側部移動台上に到達した一方の側部移動台を一方の移動機構から他方の移動機構に切り替えるために、迫り台上に乗っている側部移動台に設けた係合機構の受け体の突起を介して係合解除機構の突き上げ動作を上側の側部移動台に設けた係合機構の受け体に伝えて動作させることができる。
【００４３】
さらに、本発明によれば、係合解除機構は往復動作する動作体とリニア電気シリンダーとから構成されるために動作が単純で遠隔操作が容易になるとともにコンパクトにまとめることができる。
【図面の簡単な説明】
【図１】本発明の一実施の形態における舞台設備装置の概略的構成を示す斜視図。
【図２】同実施の形態の舞台設備装置に設ける移動機構の係合部材と係合機構を拡大して示す斜視図。
【図３】同実施の形態の舞台設備装置に設ける係合機構および係合解除機構を示す正面図。
【図４】同実施の形態の舞台設備装置における各側部移動台を移動する形態を示す説明図。
【図５】同実施の形態の舞台設備装置における各側部移動台を移動する形態を示す説明図。
【符号の説明】
１…主舞台、
２…開口部、
１０Ａ…側方舞台
１０Ｂ…側方舞台
１１…迫り台
２０Ａ…側部移動台
２０Ｂ…側部移動台
３０Ａ…移動機構
３０Ｂ…移動機構
３１…チェーン
３２…スプロケットホイール
３３…スプロケットホイール
３４…可逆転モータ
３５…係合部材
４０Ａ…係合機構
４０Ｂ…係合機構
４１  変位部材
４２…支持ピン
４３…係合ピン
４５…圧縮コイルばね（弾性手段）
４６…受け体
４７…突起
５０Ａ…係合解除機構
５０Ｂ…係合解除機構
５２…突き上げ体。
【図１】
0004191363.tif 000002
【図２】
0004191363.tif 000003
【図３】
0004191363.tif 000004
【図４】
0004191363.tif 000005
【図５】
0004191363.tif 000006